(57)【要約】【課題】住宅の床、壁、天井、家具などに使用される木質材料には、尿素樹脂系、尿素‐メラミン樹脂系、フェノール樹脂系の接着剤が使用され、これらの樹脂に含まれるホルムアルデヒドが発生源である。このため、ホルムアルデヒドと反応してより効率的に除去する、ホルムアルデヒド消臭剤を提供すること。【解決手段】式（Ｉ）【化１】2004291523.tif 000007｛式中、基Ｒ１、Ｒ２及びＲ３は、少なくとも１つは置換基Ｒ〔Ｒは、Ｃ１−２０のアルキル基（該アルキル基は少なくとの１つの水酸基とで任意に置換されていても良い。）を表わす。〕を表わし、その他の基は水素原子を表わす。｝で表されるメラミン誘導体を有効成分とするホルムアルデヒド消臭剤による。【選択図】  なし【特許請求の範囲】
【請求項１】
式（Ｉ）
【化１】
2004291523.tif 000006
｛式中、基Ｒ１、Ｒ２及びＲ３は、少なくとも１つは置換基Ｒ〔Ｒは、Ｃ１−２０のアルキル基（該アルキル基は少なくとも１つの水酸基で任意に置換されていても良い。）を表わす。〕を表わし、その他の基は水素原子を表わす。｝で表されるメラミン誘導体を有効成分とするホルムアルデヒド消臭剤。
【請求項２】
式（Ｉ）で表されるメラミン誘導体において、式中、基Ｒ１、Ｒ２及びＲ３は、少なくとも１つはＣ２−２０のω−ヒドロキシアルキル基を表わし、その他の基は水素原子を表わす請求項１に記載のホルムアルデヒド消臭剤。
【請求項３】
式（Ｉ）で表されるメラミン誘導体において、式中、基Ｒ１、Ｒ２及びＲ３は、少なくとも１つは４−ヒドロキシブチル基を表わし、その他の基は水素原子を表わす請求項１に記載のホルムアルデヒド消臭剤。
【発明の詳細な説明】
【０００１】
【発明の属する技術分野】
本発明は、アルデヒド類の消臭剤に関する。特に、合板、集合材、パーティクルボード、木質繊維板などの木質材料、壁紙等の製造に用いられる接着剤に由来したホルムアルデヒドの消臭剤に関するものである。
【０００２】
【従来の技術】
近年、揮発性有機化学物質による住宅内部への空気汚染によって、居住者の健康に及ぼす影響が顕在化し、いわゆる「シックハウス症候群」として社会問題となっている。なかでも、これらの症状を引き起こす原因物質として注目されているのがホルムアルデヒドである。住宅の床、壁、天井、家具などに使用される木質材料には、尿素樹脂系、尿素−メラミン樹脂系、フェノール樹脂系の接着剤が使用され、これらの樹脂に含まれるホルムアルデヒドが発生源である。このため、これらの建築材料、建材、家具から放散されるホルムアルデヒド量の低減が望まれている。
【０００３】
この問題点に対して、ホルムアルデヒドと反応して効率的に除去するホルムアルデヒド消臭剤が提案されている。ホルムアルデヒド消臭剤では、尿素、エチレン尿素、チオ尿素、モルホリン、ピロリジン、ジシアンジアミドなどのアミン類、アミド類、イミド類など有効成分として用いられている（特許文献１参照。）。
【０００４】
【特許文献１】
特開２００２−３３１５０４号公報（特許請求の範囲、発明の詳細な説明）
【０００５】
【発明が解決しようとする課題】
ホルムアルデヒドと反応してより効率的に除去する、ホルムアルデヒド消臭剤を提供する。
【０００６】
【課題を解決するための手段】
本発明の実施態様は、式（Ｉ）
【０００７】
【化２】
2004291523.tif 000002
【０００８】
｛式中、基Ｒ１、Ｒ２及びＲ３は、少なくとも１つは置換基Ｒ〔Ｒは、Ｃ１−２０のアルキル基（該アルキル基は少なくとも１つの水酸基で任意に置換されていても良い。）を表わす。〕を表わし、その他の基は水素原子を表わす。｝で表されるメラミン誘導体を有効成分とするホルムアルデヒド消臭剤である。
【０００９】
好ましい前記メラミン誘導体を有効成分とするホルムアルデヒド消臭剤の実施態様としては、以下の４つの実施態様が挙げられる。
【００１０】
式（Ｉ）で表されるメラミン誘導体において、式中、基Ｒ１、Ｒ２及びＲ３は、少なくとも１つはＣ２−２０のω−ヒドロキシアルキル基を表わし、その他の基は水素原子を表わすこと。
【００１１】
なお、ω−ヒドロキシアルキル基とは、末端に水酸基を有するヒドロキシアルキル基のことを意味する。
【００１２】
式（Ｉ）で表されるメラミン誘導体において、式中、基Ｒ１、Ｒ２及びＲ３は、少なくとも１つはＣ２−１０のω−ヒドロキシアルキル基を表わし、その他の基は水素原子を表わすこと。
【００１３】
式（Ｉ）で表されるメラミン誘導体において、式中、基Ｒ１、Ｒ２及びＲ３は、少なくとも１つはＣ２−６のω−ヒドロキシアルキル基を表わし、その他の基は水素原子を表わすこと。
【００１４】
式（Ｉ）で表されるメラミン誘導体において、式中、基Ｒ１、Ｒ２及びＲ３は、少なくとも１つは４−ヒドロキシブチル基を表わし、その他の基は水素原子を表わすこと。
【００１５】
【発明の実施の形態】
本発明は、特定のメラミン誘導体を有効成分とするホルムアルデヒド消臭剤である。
【００１６】
メラミン誘導体について、以下説明する。
【００１７】
式（Ｉ）における置換基Ｒ〔Ｒは、Ｃ１−２０のアルキル基（該アルキル基は少なくとも１つの水酸基で任意に置換されていても良い。）を表わす。〕とは、Ｃ１−２０の直鎖アルキル基であるメチル基、エチル基、プロピル基、ブチル基、ペンチル基、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基もしくはエイコシル基、又はＣ２−２０のω−ヒドロキシアルキル基である２−ヒドロキシエチル基、３−ヒドロキシプロピル基、４−ヒドロキシブチル基、５−ヒドロキシペンチル基、６−ヒドロキシヘキシル基、７−ヒドロキシヘプチル基、８−ヒドロキシオクチル基、９−ヒドロキシノニル基、１０−ヒドロキシデシル基、１１−ヒドロキシウンデシル基、１２−ヒドロキシドデシル基、１３−ヒドロキシトリデシル基、１４−ヒドロキシテトラデシル基、１５−ヒドロキシペンタデシル基、１６−ヒドロキシヘキサデシル基、１７−ヒドロキシヘプタデシル基、１８−ヒドロキシオクタデシル基、１９−ヒドロキシノナデシル基もしくは２０−ヒドロキシエイコシル基を表わす。
【００１８】
ちなみにＣ２−１０のω−ヒドロキシアルキル基とは、２−ヒドロキシエチル基、３−ヒドロキシプロピル基、４−ヒドロキシブチル基、５−ヒドロキシペンチル基、６−ヒドロキシヘキシル基、７−ヒドロキシヘプチル基、８−ヒドロキシオクチル基、９−ヒドロキシノニル基又は１０−ヒドロキシデシル基を表わす。Ｃ２−６のω−ヒドロキシアルキル基とは、２−ヒドロキシエチル基、３−ヒドロキシプロピル基、４−ヒドロキシブチル基、５−ヒドロキシペンチル基又は６−ヒドロキシヘキシル基を表わす。
【００１９】
本発明の反応機作について、以下説明する。
【００２０】
アミン類は、アルデヒドと反応してヘミアミナル又はシッフ塩基を形成して、ホルムアルデヒドを化学的に固定化する。このことが、アミン類がホルムアルデヒドを吸収する理由となっている（式（ＩＩ）と式（ＩＩＩ）参照。）。
【００２１】
【化３】
2004291523.tif 000003
【００２２】
一方、式（Ｉ）で表されるメラミン誘導体において、式中、基Ｒ１、Ｒ２及びＲ３は、少なくとも１つがヒドロキシメチル基（Ｃ１）を表わし、その他の基は水素原子を表わすメラミン誘導体では、トリアジン環上のヒドロキシメチルアミノ基及びホルムアルデヒドと、ビス（ヒドロキシメチル）アミノ基との間で化学的解離平衡が生じて、ホルムアルデヒドが放出されて好ましくない。
【００２３】
式（Ｉ）で表されるメラミン誘導体としては、式中、基Ｒ１、Ｒ２及びＲ３が、少なくとも１つが４−ヒドロキシブチル基を表わ場合、２，４−ジアミノ−６−（４−ヒドロキシブチルアミノ）−１，３，５−トリアジン（モノ置換体）、２−アミノ−４，６−ビス（４−ヒドロキシブチルアミノ）−１，３，５−トリアジン（ビス置換体）、２，４，６−トリス（４−ヒドロキシブチルアミノ）−１，３，５−トリアジン（トリス置換体）等が挙げられる。
【００２４】
これらのモノ置換体、ビス置換体及びトリス置換体は、それぞれ単独又は混合して使用してもホルムアルデヒド消臭剤の有効成分として作用する。
【００２５】
本発明の式（Ｉ）で表されるメラミン誘導体は、アルキル基に水酸基（ヒドロキシ基）を有するため水溶性を有する。そのため、ホルムアルデヒド消臭剤は水溶液として調製することができて、有機溶媒を用いることない。よって、二次的な揮発性有機化学物質の発生の防止ともなる。
【００２６】
本発明のホルムアルデヒド消臭剤には、ホルムアルデヒドの固定化能が阻害されない限り、各種界面活性剤を添加して使用して良い。
【００２７】
【実施例】
製造例
特開２００１−１９６８２号公報に記載の実施例１の方法によって、メラミンと１，４−ブタンジオールとをＰｄ−Ｃ触媒，Ｎｉ−ＮｉＯ−ＳｉＯ２触媒の存在下，反応温度２２０℃で３時間反応させ、触媒を分離して、精製をおこなった。  そして、２，４−ジアミノ−６−（４−ヒドロキシブチルアミノ）−１，３，５−トリアジンを７２．７％、２−アミノ−４，６−ビス（４−ヒドロキシブチルアミノ）−１，３，５−トリアジンを１０．６％、２，４，６−トリス（４−ヒドロキシブチルアミノ）−１，３，５−トリアジンを０．１％として含有する粉末を得た。
【００２８】
実施例１
製造例で示した本発明のメラミン誘導体を水に溶解し、内径８５ｍｍのガラスシャーレに広げ、乾燥し固形分重量０．０１５ｇの皮膜を形成させた。シャーレをポリエステルフィルム製におい袋（容量３Ｌ）の中に入れ、ヒートシールした後、ホルムアルデヒド濃度４０ｐｐｍに調整した空気を注入した。これを、室温（２０℃）にて放置し、経時的にガス検知管をもちいて袋中のホルムアルデヒド濃度を測定した。比較として尿素水溶液から得た固形分重量０．０１５ｇの皮膜を形成させたシャーレ、及び空のシャーレで同様の測定をおこなった。試験結果を表１に示す。
【００２９】
【表１】
2004291523.tif 000004
【００３０】
実施例２
日本農林規格（ＪＡＳ）Ｆ２構造用合板に、製造例で示した本発明のメラミン誘導体の５重量％水溶液を、３３ｇ／ｍ２の割合で両面に塗布した。塗布後の合板は２０℃−５０％相対湿度の室内で２４時間放置した後、５ｃｍ×１５ｃｍの試験片１０枚を切出し、日本農林規格（ＪＡＳ  Ｎｏ．Ｑ−２）に記載の「デシケータ法ホルムアルデヒド放散量試験」をおこなった。尿素５重量％水溶液、水を塗布した合板でも、同様の試験方法で測定した。試験結果を表２に示す。
【００３１】
【表２】
2004291523.tif 000005
【００３２】
【発明の効果】
本発明のメラミン誘導体を有効成分とするホルムアルデヒド消臭剤は、既存の尿素と比較して著しい吸収効果を示している。
【００３３】
社会問題となっている「シックハウス症候群」を引き起こす原因物質として注目されているのがホルムアルデヒドであり、そのホルムアルデヒド吸着剤として、本発明のメラミン誘導体を有効成分とするホルムアルデヒド消臭剤は有用である。  住宅の床、壁、天井、家具などに使用される木質材料には、尿素樹脂系、尿素−メラミン樹脂系、フェノール樹脂系の接着剤が使用され、これらの樹脂に含まれるホルムアルデヒドが発生源である。このため、これらの建築材料、建材、家具から放散されるホルムアルデヒド量の低減として、水溶性のメラミン誘導体を有効成分とするホルムアルデヒド消臭剤を使用することは好ましい。